(57)【要約】本発明は、支持素子を接続するための手段を生成する、接続ストリップを含む、電気的接続装置に関するが、この電気的接続装置は、第１接続素子と第２接続素子を含み、第１接続素子は支持素子に接続され、さらに第２接続素子は支持素子を接続するための手段を形成し、電気的接続装置はさらに本体素子を含み、本体素子は主伸張面を有し、本体素子の主伸張面は第１接続素子と第２接続素子の間に位置決めされ、第１接続素子及び／又は第２接続素子は本体素子の主伸張面に概ね直交する方向に延び、本体素子は第１機械的固定素子及び第２機械的固定素子を備え、第１機械的固定素子及び第２機械的固定素子は、第１機械的固定素子が、電気的接続装置と他の電気的接続装置の間の機械的な固定のために他の電気的接続装置の他の第２機械的固定素子と協働でき、及び／又は、第２機械的固定素子が、電気的接続装置と他の電気的接続装置の間の機械的な固定のために他の電気的接続装置の他の第１機械的固定素子と協働できる。
2016525783.tif 000002
【特許請求の範囲】
【請求項１】
支持素子（５）を接続するための手段を生成する、接続ストリップを含む、電気的接続装置（１）であって、
前記電気的接続装置（１）は、
第１接続素子と第２接続素子（１３）を含み、
前記第１接続素子は前記支持素子（５）に接続され、さらに前記第２接続素子（１３）は前記支持素子（５）を接続するための前記手段を形成し、
前記電気的接続装置（１）はさらに本体素子を含み、
前記本体素子は主伸張面を有し、
前記本体素子の前記主伸張面は前記第１接続素子と前記第２接続素子（１３）の間に位置決めされ、
前記第１接続素子及び／又は前記第２接続素子（１３）は前記本体素子の前記主伸張面に概ね直交する方向に延び、
前記本体素子は第１機械的固定素子（１１）及び第２機械的固定素子（１２）を備え、
前記第１機械的固定素子（１１）及び前記第２機械的固定素子（１２）は、
前記第１機械的固定素子（１１）が、前記電気的接続装置（１）と他の電気的接続装置（２，３）の間の機械的な固定のために前記他の電気的接続装置（２，３）の他の第２機械的固定素子と協働でき、及び／又は、
前記第２機械的固定素子（１２）が、前記電気的接続装置（１）と前記他の電気的接続装置（２，３）の間の機械的な固定のために前記他の電気的接続装置（２，３）の他の第１機械的固定素子と協働できる
ことを特徴とする電気的接続装置（１）。
【請求項２】
前記第１機械的固定素子（１１）は前記電気的接続装置（１）の前記本体素子の突出部を形成することによって提供され、さらに前記第１機械的固定素子（１１）は概ね円形に設計されることを特徴とする請求項１記載の電気的接続装置（１）。
【請求項３】
前記第１機械的固定素子（１１）は前記電気的接続装置（１）の前記本体素子の突出部を形成することによって提供され、さらに前記第１機械的固定素子（１１）は概ね三角形又は概ね矩形又は概ね四角形又は概ね六角形に設計されることを特徴とする請求項１記載の電気的接続装置（１）。
【請求項４】
前記第２機械的固定素子（１２）は前記電気的接続装置（１）の前記本体素子の窪み部を形成することによって提供され、さらに前記第２機械的固定素子（１２）は概ね円形に設計されることを特徴とする請求項１〜３のいずれか一項記載の電気的接続装置（１）。
【請求項５】
前記第２機械的固定素子（１２）は前記電気的接続装置（１）の前記本体素子の窪み部を形成することによって提供され、さらに前記第２機械的固定素子（１２）は概ね三角形又は概ね矩形又は概ね四角形又は概ね六角形に設計されることを特徴とする請求項３記載の電気的接続装置（１）。
【請求項６】
前記第１機械的固定素子（１１）は円錐に形成されるか又は前記本体素子の前記主伸張面に平行に断面を減少するように形成され、及び／又は、
前記第２機械的固定素子（１２）は円錐に形成されるか又は前記本体素子の前記主伸張面に平行に断面を減少するように形成されることを特徴とする請求項１〜５のいずれか一項記載の電気的接続装置（１）。
【請求項７】
円錐又は形状が減少するところの、前記第１機械的固定素子（１１）の中央軸は、前記電気的接続装置（１）の前記本体素子の前記主伸張面に概ね直交に向けられ、及び／又は、円錐又は形状が減少するところの、前記第２機械的固定素子（１２）の中央軸は前記電気的接続装置（１）の前記本体素子の前記主伸張面に概ね直交に向けられることを特徴とする請求項１〜６のいずれか一項記載の電気的接続装置（１）。
【請求項８】
前記第１機械的固定素子（１１）及び／又は前記第２機械的固定素子（１２）の円錐又は減少する形状は、前記円錐又は減少する形状の大口径が前記電気的接続装置（１）の前記第２接続素子（１３）の側部に配置されることを特徴とする請求項１〜７のいずれか一項記載の電気的接続装置（１）。
【請求項９】
前記第１機械的固定素子（１１）及び前記第２機械的固定素子（１２）は、前記電気的接続装置（１）の前記主伸張面の第１方向においていくつかの電気的接続装置（１，２，３）を連接させるように提供される請求項１〜８のいずれか一項記載の電気的接続装置（１）。
【請求項１０】
前記本体素子は第３機械的固定素子及び第４機械的固定素子を備え、
前記第３機械的固定素子及び前記第４機械的固定素子は、
前記第３機械的固定素子が、前記電気的接続装置（１）と他の電気的接続装置（２，３）の間の機械的な固定のために他の電気的接続装置（２，３）の他の第４機械的固定素子と協働でき、及び／又は、
前記第４機械的固定素子が、前記電気的接続装置（１）と前記他の電気的接続装置（２，３）の間の機械的な固定のために他の電気的接続装置の他の第３機械的固定素子と協働できる、
ように設けられることを特徴とする請求項１〜９のいずれか一項記載の電気的接続装置（１）。
【請求項１１】
前記第３機械的固定素子は前記電気的接続装置（１）の前記本体素子の突出部を形成することによって提供され、さらに前記第３機械的固定素子は概ね円形に設計されることを特徴とする請求項１記載の電気的接続装置（１）。
【請求項１２】
前記第３機械的固定素子は前記電気的接続装置（１）の前記本体素子の突出部を形成することによって提供され、さらに前記第３機械的固定素子は概ね三角形又は概ね矩形又は概ね四角形又は概ね六角形に設計されることを特徴とする請求項１記載の電気的接続装置（１）。
【請求項１３】
前記第４機械的固定素子は前記電気的接続装置（１）の前記本体素子の窪み部を形成することによって提供され、さらに前記第４機械的固定素子は概ね円形に設計されることを特徴とする請求項１〜１２のいずれか一項記載の電気的接続装置（１）。
【請求項１４】
前記第４機械的固定素子は前記電気的接続装置（１）の前記本体素子の窪み部を形成することによって提供され、さらに前記第４機械的固定素子は概ね三角形又は概ね矩形又は概ね四角形又は概ね六角形に設計されることを特徴とする請求項１〜１３のいずれか一項記載の電気的接続装置（１）。
【請求項１５】
前記第３機械的固定素子及び前記第４機械的固定素子は、前記電気的接続装置（１）の前記主伸張面の第２方向であって、前記電気的接続装置（１）の前記主伸張面の前記第１方向とは異なる、前記第２方向においていくつかの電気的接続装置（１，２，３）を連接させるように提供される請求項１〜１４のいずれか一項記載の電気的接続装置（１）。
【請求項１６】
前記電気的接続装置（１）は前記支持素子（５）に取り付けるための素子を備える請求項１〜１５のいずれか一項記載の電気的接続装置（１）。
【発明の詳細な説明】
【技術分野】
【０００１】
本発明は電気的接続装置に関し、特に接続ストリップ、さらに特に自動車の電子回路用の電気的接続装置に関する。
【０００２】
実際には、特に他の印刷回路基板（ＰＣＢ）又はケーブルなどの、他の電気接続素子との電気的接続を可能にするような、接続ストリップ又は印刷回路基板に溶接される他の電気素子である、接続素子を有する印刷回路基板を提供するのが一般的である。
【発明の概要】
【発明が解決しようとする課題】
【０００３】
様々な状況において用いられるための多数のタイプのそのような接続ストリップが存在する。そのような接続ストリップの多数の異なるタイプは、かなりのコストを必要としてしまう。
【０００４】
本発明の目的は、特に、上述したような、従来技術の課題を解決することであり、さらに自動車用の接続ストリップのような電気的接続装置を提案することであり、それにより、関連するコストをできるだけ低減するのを可能とし、さらに柔軟性をできるだけ増大することである。
【課題を解決するための手段】
【０００５】
本発明についての目的は、支持素子を接続するための手段を生成する、接続ストリップを含む、電気的接続装置によって解決されるが、この電気的接続装置は、第１接続素子と第２接続素子を含み、第１接続素子は支持素子に接続され、さらに第２接続素子は支持素子を接続するための手段を形成し、電気的接続装置はさらに本体素子を含み、本体素子は主伸張面を有し、本体素子の主伸張面は第１接続素子と第２接続素子の間に位置決めされ、第１接続素子及び／又は第２接続素子は本体素子の主伸張面に概ね直交する方向に延び、本体素子は第１機械的固定素子及び第２機械的固定素子を備え、第１機械的固定素子及び第２機械的固定素子は、第１機械的固定素子が、電気的接続装置と他の電気的接続装置の間の機械的な固定のために他の電気的接続装置の他の第２機械的固定素子と協働でき、及び／又は、第２機械的固定素子が、電気的接続装置と他の電気的接続装置の間の機械的な固定のために他の電気的接続装置の他の第１機械的固定素子と協働できる。
【０００６】
そのような電気的接続装置によれば、例えば多くの接続素子などの結合ストリップの設計に高い柔軟性を実現しながらも、支持素子と電気結合装置の第２接続素子の間に素晴らしい電気的及び機械的な接触を実現できる。
【０００７】
本発明の好ましい改良では、
第１機械的固定素子は電気的接続装置の本体素子の突出部を形成することによって提供され、さらに第１機械的固定素子は概ね円形に設計され、及び／又は、
第２機械的固定素子は電気的接続装置の本体素子の窪み部を形成することによって提供され、さらに第２機械的固定素子は概ね円形に設計されることを、提供できる。
【０００８】
本発明に係る他の好ましい電気的接続装置の実施形態によれば、第１機械的固定素子は電気的接続装置の本体素子の突出部を形成することによって提供され、さらに第１機械的固定素子は概ね三角形又は概ね矩形又は概ね四角形又は概ね六角形に設計される。
【０００９】
本発明に係る他の好ましい電気的接続装置の実施形態によれば、第２機械的固定素子は電気的接続装置の本体素子の窪み部を形成することによって提供され、さらに第２機械的固定素子は概ね三角形又は概ね矩形又は概ね四角形又は概ね六角形に設計される。
【００１０】
本発明に係る他の好ましい電気的接続装置の実施形態によれば、第１機械的固定素子は円錐に形成されるか又は本体素子の主伸張面に平行に断面を減少するように形成され、及び／又は、第２機械的固定素子は円錐に形成されるか又は本体素子の主伸張面に平行に断面を減少するように形成される。
【００１１】
本発明のさらに他の好ましい改良では、円錐又は形状が減少するところの、第１機械的固定素子の中央軸は、電気的接続装置の本体素子の主伸張面に概ね直交に向けられ、及び／又は、円錐又は形状が減少するところの、第２機械的固定素子の中央軸は電気的接続装置の本体素子の主伸張面に概ね直交に向けられるのを、同様に提供できる。
【００１２】
本発明に係るさらに他の好ましい電気的接続装置の実施形態によれば、第１機械的固定素子及び／又は第２機械的固定素子の円錐又は減少する形状は、円錐又は減少する形状の大口径が電気的接続装置の第２接続素子の側部に配置される。
【００１３】
本発明に係るさらに他の好ましい電気的接続装置の実施形態によれば、第１機械的固定素子及び第２機械的固定素子は、電気的接続装置の主伸張面の第１方向においていくつかの電気的接続装置を連続させるように提供される。
【００１４】
本発明のさらに他の好ましい改良では、本体素子は第３機械的固定素子及び第４機械的固定素子を備え、
第３機械的固定素子及び前記第４機械的固定素子は、
第３機械的固定素子が、電気的接続装置と他の電気的接続装置の間の機械的な固定のために他の電気的接続装置の他の第４機械的固定素子と協働でき、及び／又は、
第４機械的固定素子が、電気的接続装置と他の電気的接続装置の間の機械的な固定のために他の電気的接続装置の他の第３機械的固定素子と協働できる、
ように設けられる、ことを提供できる。
【００１５】
本発明に係るさらに他の好ましい電気的接続装置の実施形態によれば、第３機械的固定素子は電気的接続装置の本体素子の突出部を形成することによって提供され、さらに第３機械的固定素子は概ね円形に設計される。
【００１６】
本発明に係るさらに他の好ましい電気的接続装置の実施形態によれば、第３機械的固定素子は電気的接続装置の本体素子の突出部を形成することによって提供され、さらに第３機械的固定素子は概ね三角形又は概ね矩形又は概ね四角形又は概ね六角形に設計される。
【００１７】
本発明に係るさらに他の好ましい電気的接続装置の実施形態によれば、第４機械的固定素子は電気的接続装置の本体素子の窪み部を形成することによって提供され、さらに第４機械的固定素子は概ね円形に設計される。
【００１８】
本発明に係るさらに他の好ましい電気的接続装置の実施形態によれば、第４機械的固定素子は電気的接続装置の本体素子の窪み部を形成することによって提供され、さらに第４機械的固定素子は概ね三角形又は概ね矩形又は概ね四角形又は概ね六角形に設計される。
【００１９】
本発明のさらに他の好ましい改良では、第３機械的固定素子及び第４機械的固定素子は、電気的接続装置の主伸張面の第２方向であって、電気的接続装置の主伸張面の第１方向とは異なる、第２方向においていくつかの電気的接続装置を連続させるように提供されるように、与えられる。
【００２０】
本発明に係るさらに他の好ましい電気的接続装置の実施形態によれば、電気的接続装置は支持素子（５）に取り付けるための素子を備える。
【００２１】
本発明の他の特徴及び有利な効果は、以下の特定の説明、本発明の非制限的な実施形態を読むことにより明らかになるであろう。
【図面の簡単な説明】
【００２２】
本発明は、以下の説明により良好に理解されるが、以下の説明は非制限的な具体例という方法によって与えられる好ましい実施形態に関するものであり、添付の概略的な図面を参照することによって説明される。
【００２３】
【図１】本発明に係る電気的接続装置の概略的な上面図である。
【図２】本発明に係る電気的接続装置の概略的な側面図である。
【図３】３つの電気的接続装置を概略的に示し、それら３つの電気的接続装置は相互に結合され、さらに支持素子にも結合されるのを示す側面図である。
【図４】相互に結合され、さらに支持素子にも結合される３つの電気的接続装置の側面図である。
【図５】６つの電気的接続装置を概略的に示し、それら６つの電気的接続装置は異なる二つの方向において相互に結合され、さらに支持素子にも結合されることを示す概略的な上面図である。
【図６】いくつかの電気的接続装置の概略的な側面図である。
【発明を実施するための形態】
【００２４】
添付の図面の図１及び図２は電気的接続装置１の具体例を示すが、図１は上面図であり、図２は側面図である。電気的接続装置１は、第１接続素子（参照番号が付されていない）及び第２接続素子１３を備える。電気的接続装置１は、第１接続素子と第２接続素子１３との間に本体素子（参照番号が付されていない）を備える。その本体素子は、主伸張方向（参照番号が付されていない）に伸張する。図２において、第１接続素子が本体素子から図の上側に示され、さらに第２接続素子が本体素子から図の下側に示されている。本体素子の主伸張平面は図１に図示された平面に相当する。第１及び第２接続素子は本体素子の主伸張平面に概ね直交して向けられる。
【００２５】
図１によれば、第１接続素子は４本の電気接続線を備えるのが分かる。第２接続素子も同様に４本の電気接続線を含むのが分かる。第１接続素子及び／又は第２接続素子は、それよりも少ない数の電気接続線、例えばたった１本、２本又は３本の電気接続線を含んでもよい。
【００２６】
電気的接続装置１は、支持素子５（図３に示される）を接続する手段を生成するための、特に接続ストリップになるように組み立てされる。第１接続素子は支持素子５に接続されるが、特に溶接又は半田付け処理、特にリフロー半田付け処理、例えば“ピンペースト”（ＰＩＰ）処理又は“ピンスルーペースト”（ＰＴＰ）処理によって接続される。第２接続素子１３（第１接続素子の反対の側上に電気接続素子１が存在する）は、支持素子５を接続するための手段となる（を生成する）。
【００２７】
本発明によれば、本体素子は第１機械的固定素子１１（本明細書では、「突出素子」とも言及する）及び第２機械的固定素子１２（本明細書では「窪み素子」とも言及する）を備える。第１機械的固定素子１１及び第２の機械的固定素子１２は、
第１機械的固定素子１１が、電気的接続装置１と電気的接続装置２、３の間の機械的な固定のために、他の電気的接続装置２、３の他の第２機械的固定素子と協働することができるし、及び／又は、
第２機械的固定素子１２が、電気的接続装置１と電気的接続装置２、３の間の機械的な固定のために、他の電気的接続装置２、３の他の第２機械的固定素子と協働することができる、
ように設けられる。
【００２８】
これは、本発明に対応する３つの電気的接続装置、つまり参照番号１、２及び３を付される電気的接続装置の組立体の側面及び上面をそれぞれ描く、図３及び図４にて示される。第１電気的接続装置１の突出素子は第２電気的接続装置２の窪み素子に挿入され、さらに第２電気的接続装置２の突出素子は第３電気的接続装置３の窪み素子に挿入されるのが分かる。図３は支持素子５の接触素子５１、特に半田付けにより支持素子５に、接触素子５１を用いて取り付けられる電気的接続装置１、２、３のそれぞれの第１接続素子を示す。
【００２９】
第１及び第２機械的固定素子１１、１２は、それぞれ、特に、概ね円形形状を有するが、代替的に、概ね三角形形状、概ね矩形形状、概ね四角形形状又は概ね六角形形状のような他の形状も可能である。
【００３０】
第１及び第２機械的固定素子を提供するという本発明に係る対策がとられることにより、電気的接続装置１の本体素子の主伸張面の第１方向における、いくつかの電気的接続装置１，２，３の連接が可能となる。
【００３１】
図５及び図６は、それぞれ、本発明に係る他の実施形態の６つの電気的接続装置１、２、３の組み合わせ体の上面及び側面を示す。この実施形態において、本体素子は、第３機械的固定素子（他の突出素子）及び第４機械的固定素子（他の窪み素子）を備え、
前記第３機械的固定素子は、電気的接続装置１と他の電気的接続装置２、３との間の機械的な固定のために、他の電気的接続装置２、３の他の第４機械的固定素子と協働することができ、及び／又は、
前記第４機械的固定素子は、電気的接続装置１と他の電気的接続装置２、３との間の機械的な固定のために、他の電気的接続装置の他の第３機械的固定素子と協働することができる。
【００３２】
第３及び第４機械的固定素子を提供するという、図５及び６に示されるような、本発明に係る対策がとられることにより、電気的接続装置１の本体素子の主伸張面の第２方向における、いくつかの電気的接続装置の連接が可能となるが、ここで前記主伸張面の第２方向は、電気的接続装置１の本体素子の主伸張面の第１方向とは異なる方向である。
【００３３】
第３及び第４機械的固定素子は、特に、概ね円形形状を有するが、もちろん他の形状、例えば概ね三角形形状、概ね矩形形状、概ね四角形形状、又は概ね六角形形状であることもできる。
【００３４】
１  電気的接続装置
２、３  他の電気的接続装置
５  支持素子
１１  第１機械的固定素子
１２  第２機械的固定素子
１３  第２電気接続素子
５１  支持素子の接触素子
【図１】
2016525783.tif 000003
【図２】
2016525783.tif 000004
【図３】
2016525783.tif 000005
【図４】
2016525783.tif 000006
【図５】
2016525783.tif 000007
【図６】
2016525783.tif 000008
【国際調査報告】
2016525783.tif 000009
2016525783.tif 000010
2016525783.tif 000011
2016525783.tif 000012
2016525783.tif 000013
2016525783.tif 000014